(57)【要約】【課題】本発明は、抵抗膜方式デジタイザーを入力装置としたゴシックアーチトレーサーの、センサーのリニアリティーと座標指示精度を下げずに耐圧性と耐衝撃性を高めた、実用的なゴシックアーチトレーサー口内法用センサーの開発を、課題とするものである。【手段】荷重が加えられてもセンサー基盤が歪まない強度を、センサー下面に設置するデジタイザー板に求めた上で、ゴム状弾性体層を抵抗膜方式デジタイザーのセンサー上面に設けることを主な手段とし、ゴム状弾性体層の上面に、硬度と弾性を備えた樹脂製フィルムを設置することを、補助的手段とするものである。【選択図】図１
2004000394.tif 000002
【特許請求の範囲】
【請求項１】
デジタイザーをパーソナルコンピュータへの顎位の入力装置としたゴシックアーチトレーサーにおいて、
抵抗膜方式デジタイザーのセンサー上面にゴム状弾性体層を設けたことを特徴とする、ゴシックアーチトレーサー口内法用センサー。
【発明の詳細な説明】
【０００１】
【発明の属する技術分野】
本発明は、抵抗膜方式デジタイザーのセンサー部を、開口状態の口腔内に咬合床を介して上下顎の中間部に設置して、顎位の入力装置とする口内法用ゴシックアーチトレーサーの、ゴシックアーチトレーサー口内法用センサーに関するものである。
【０００２】
【従来の技術】
デジタイザーを入力装置とするゴシックアーチトレーサー（特公平７−１１２４７６／特開平１０−５２５５／特願平１１−２１１０４５）が開発され、デジタイザー板上に設置したデジタイザーによって下顎の水平的位置を測定し、その座標信号をパーソナルコンピュータに入力することが可能となっていた。
この中でも、抵抗膜方式デジタイザーによるゴシックアーチトレーサーでは、センサー部をディスポーサブルにすることが経済的に可能であるため、口外法によるゴシックアーチ描記に比べ、精度と操作性に優れる口内法によるゴシックアーチ描記においても、衛生的な使用を保証できる利点があった。
しかしながら口内法では、閉口力をセンサーが直接的に受容するため、極薄のガラス板、あるいは樹脂製フィルムを基盤として使用している抵抗膜方式デジタイザーのセンサーでは、描記中の接触圧やタッピングポイント印記時の衝撃力の大さによっては、基盤が損障を受ける場合がしばしばであった。
この様な基盤の機械的損傷を避けるため、センサー上面に樹脂性の保護シートや金属製の保護シートを設置することが検討されたが、十分な耐圧効果が得られる厚さでは、保護シートが剛体様の性状を呈し、座標指示器の押圧による保護シートを介したセンサーへの感応領域が広くなるため、口内法用としてセンサー自体の面積が限られ感応領域の中心座標を検出することが特性である抵抗膜方式デジタイザーのセンサーでは、座標指示点がセンサー中央部を僅かに外れるだけで、すぐに感応領域がセンサー辺縁部に達するため、センサー中央部においてのみ比較的正確な座標を指示することが可能であるものの、座標指示点がセンサーの中央部から離れるにつれ、有効感応領域の図形的対称性が損なわれ、Ｘ−Ｙ座標のリニアリティーが著しく低下して、座標指示精度が大きく低下する欠点を有していた。
さらに、描記球を押圧した状態で、センサーを水平的に移動させてゴシックアーチを描かせる際に、センサー内で上下に相対している座標検出回路に、横方向へのズレや変形を生じ、正確な座標が測定できなくなることも、しばしばであった。
このように、医療用品としての規制や環境ホルモン汚染の予防的観点から、強靭なポリカーボネイトを使用できない技術的条件下では、強度において十分な実用性を持つゴシックアーチトレーサー口内法用センサーの提供が、困難であった。
【０００３】
【発明が解決しようとする課題】
本発明は、抵抗膜方式デジタイザーを入力装置としたゴシックアーチトレーサーの、センサーのリニアリティーと座標指示精度を保ちながら耐圧性と耐衝撃性を高めた、実用的な強度を持つゴシックアーチトレーサー口内法用センサーの開発を、課題とするものである。
【０００４】
【課題を解決するための手段】
抵抗膜方式デジタイザーセンサー損傷の主な原因は、押圧によって荷重負荷が偏在し、センサー基盤に剪断力が作用することと、センサー基盤が歪み応力が集中することで、基盤が破折されること、あるいは強圧によって基盤が変形し、それが残留すること、上下の回路が横方向にずれること等が原因であると考えられることから、荷重が加えられても基盤が歪まない強度を、センサー下面に設置するデジタイザー板に求めた上で、センサー上面にかけられる荷重を、比較的限られた領域に図形的対称性を保ちながら、スムーズな勾配をもって分散させ、センサーに応力集中や残留変形をきたさないようにすること、センサー上面に、可及的に垂直圧として伝達すること等が必要であり、このために、抵抗膜方式デジタイザーセンサー上面にゴム状弾性体層を設けることを主な手段とし、ゴム状弾性体層の上面に、硬度と弾性を備えた樹脂製フィルムを設置することを、補助的手段とするものである。
【０００５】
【発明の実施の形態】
以下、発明の実施の形態を、実施例にもとずき図面を参照にして説明する。
【０００６】
図１．は、本発明の実施の形態を示すもので、クロムメッキを施した咬合平面板を兼ねる鉄製デジタイザー板に、抵抗膜方式デジタイザーのセンサーを粘着固定し、抵抗膜方式デジタイザーのセンサー上面に中硬質のゴムシートを粘着固定して、ポリエステルフィルムを中硬質ゴムシートの上面に粘着固定してなる本発明の、実施例１の斜視図である。
【０００７】
図３．に示される実施例は、センサーと同形のクロムメッキを施した鉄製デジタイザー板に、抵抗膜方式デジタイザーのセンサーを粘着固定し、抵抗膜方式デジタイザーのセンサー上面に硬質のゴムシートを粘着固定して、ペット樹脂フィルムを硬質ゴムシートの上面に粘着固定してなる本発明の、実施例２の斜視図である。
【０００８】
【発明の作用並びに効果】
本実施例では、強度の十分な厚さの鉄製のデジタイザー板に、極薄両面粘着フィルムを用いて抵抗膜方式デジタイザーのセンサーを粘着固定したため、ゴシックアーチ描記中の閉口圧やタッピングポイント印記時の衝撃力に対してもデジタイザー板面に歪を生ぜず、センサー基盤の損傷を防止することができる。一方、センサー上面に設置したゴム状弾性体層は、センサー上面に加わる衝撃力を吸収、緩衝する作用の外、ゴム状弾性体層上面に加えられた圧力を、先端が球形をした座標指示器の押圧部を中心とする同心円状域に、スムーズな勾配をもって比較的限局された領域に分散する作用を有しているため、感応域の中心座標を変えずに、センサー面にかかる圧力を周囲になだらかに限られた領域に分散させることができる。
【０００９】
ゴム状弾性体層の上面に粘着固定された樹脂製フィルムが硬度と弾性を有し、描記球の押圧時に張力を発生することから、描記球との摩擦係数が小さいことと、被押圧部における座標指示器のゴム状弾性体層への沈み込み量が抑制されること等から、描記球のスムーズな滑走運動が妨げられない効果がある。
【００１０】
硬度と弾性を有した樹脂製フィルムの上に、球状をした描記球から伝達される押圧力は、ほぼ点状の円形をした接触面であり、ゴム状弾性体の上面に垂直圧として伝達されるので、本発明の実施例では、樹脂製フィルムの上を移動する描記球から伝達される押圧力は、ゴム状弾性体を通じてセンサー上面に垂直圧として伝達され、可及的に、被垂直圧領域の水平移動として作用し、センサー回路の横方向へのズレを防止する効果がある。
【００１１】
本発明は、抵抗膜方式デジタイザーのセンサーが、口内法によるゴシックアーチ描記に際して発生する閉口圧と、タッピングポイント印記時に発生する衝撃力に耐えることを可能としたため、口内法によるゴシックアーチ描記を、デジタイザーを用いて安全に正確に衛生的に行い、咬合採得を客観化して、適性な顎位を検出することができる。
【００１２】
【図面の簡単な説明】
【図１】は、本発明による実施例１の構成を示す斜視図である。
【図２】は、本発明による実施例１の側面図である。
【図３】は、本発明による実施例２の構成を示す斜視図である。
【符号の説明】
１．デジタイザー板
２．抵抗膜方式デジタイザーセンサー
３．抵抗膜方式デジタイザーセンサー・フィルム状リード線部
４．抵抗膜方式デジタイザーセンサー・コネクター接続部
５．中硬質ゴムシート
６．ポリエステルフィルム
７．硬質ゴムシート
８．ペット樹脂フィルム
【図１】
2004000394.tif 000003
【図２】
2004000394.tif 000004
【図３】
2004000394.tif 000005
【手続補正書】
【提出日】平成14年10月15日(2002.10.15)
【手続補正１】
【補正対象書類名】明細書
【補正対象項目名】特許請求の範囲
【補正方法】変更
【補正の内容】
【特許請求の範囲】
【請求項１】
抵抗膜方式デジタイザーのセンサー上面に、ゴム状弾性体層を設けたことを特徴とする、ゴシックアーチトレーサー口内法用センサー。